(57)【要約】      （修正有）【課題】細菌、カビ、微生物の増殖を抑える濾過装置を提供する。【解決手段】流体を濾過するフィルタを具備するフィルタユニット５が脱着可能に取り付けられる濾過装置１用の取付基部２を有し、前記フィルタユニット５が前記取付基部２に取り付けられ、前記流体を前記フィルタユニット５に導入する上流側管路３と、前記フィルタユニット５が前記取付基部２に取り付けられ、前記フィルタユニット５から前記流体を排出する下流側管路４と、を備える濾過装置１であって、前記上流側管路３の内面および前記下流側管路４の内面は、抗菌コーティング層４ａを有している。【選択図】図２
0003196895.tif 000002
【実用新案登録請求の範囲】
【請求項１】
流体を濾過するフィルタを具備するフィルタユニットが脱着可能に取り付けられる濾過装置用の取付基部であって、
前記フィルタユニットが前記取付基部に取り付けられている際に前記流体を前記フィルタユニットに導入する上流側管路と、
前記フィルタユニットが前記取付基部に取り付けられている際に前記フィルタユニットから前記流体を排出する下流側管路と、を備える濾過装置であって、
前記上流側管路の内面および前記下流側管路の内面は、抗菌コーティング層を有している取付基部。
【請求項２】
流体を濾過するフィルタを具備するフィルタユニットと、
前記フィルタユニットに前記流体を導入する上流側管路と、
前記フィルタユニットから前記流体を排出する下流側管路と、を備える濾過装置であって、
前記上流側管路の内面および前記下流側管路の内面は、抗菌コーティング層を有している濾過装置。
【請求項３】
請求項２に記載の濾過装置であって、
前記フィルタユニットは、前記濾過装置に脱着可能である濾過装置。
【請求項４】
請求項１または２に記載の濾過装置であって、
前記抗菌コーティング層は、抗菌性イオンを溶出させる合金メッキである濾過装置。
【請求項５】
請求項１から４のいずれか一項に記載の濾過装置であって、
前記フィルタユニットは、前記上流側管路の一端側に嵌入可能な入口流路と、前記下流側管路の一端側に嵌入可能な出口流路とを備え、
前記抗菌コーティング層は、前記上流側管路内に挿入されている前記入口流路の先端位置まで、および前記下流側管路における前記出口流路の先端に至るまでの位置に配置されている濾過装置。
【考案の詳細な説明】
【技術分野】
【０００１】
この考案は、管路に抗菌コーティング層を具備する濾過装置に関する。
【背景技術】
【０００２】
液体または気体などの流体一般を濾過する濾過装置は、殺菌、除菌を含めた不純物の除去を目的として、半導体製品、食品、医薬品など多くの工業製品の製造プロセスにおいて、広く利用されている。このような濾過装置に使用されるフィルタの素材は、濾過する対象に応じて適切なものが選択される。たとえば、濾過されたフィルタ内の残渣に、細菌、カビ、微生物などが含まれるような場合には、殺菌を目的とした素材や、除菌を目的とした素材など、濾過する対象に応じて、フィルタとして最適な素材が選択される。
【考案の開示】
【考案が解決しようとする課題】
【０００３】
フィルタ内の残渣に含まれる細菌、カビ、微生物などは、一般に、時間とともに増殖する。そのため、フィルタは、フィルタ内に発生した細菌、カビ、微生物の量が所定の量に達した段階で、交換されるように設計される。具体的には、事前の試験などで、細菌、カビ、微生物の量が所定の量に達する所定の使用時間等で、フィルタを交換できるような形態とされる。
【０００４】
このような濾過対象の流体の濾過過程では、流体が接触する管路にも、細菌、カビ、微生物が付着する。そのため、管路の清掃が必要となるが、頻繁な清掃は煩雑であり、清掃の頻度を下げるためには、管路に付着した細菌、カビ、微生物の増殖を抑えることが好ましい。
【課題を解決するための手段】
【０００５】
そこで、流体を濾過するフィルタを具備するフィルタユニットが脱着可能に取り付けられる濾過装置用の取付基部であって、前記フィルタユニットが前記取付基部に取り付けられている際に前記流体を前記フィルタユニットに導入する上流側管路と、前記フィルタユニットが前記取付基部に取り付けられている際に前記フィルタユニットから前記流体を排出する下流側管路と、を備える濾過装置であって、前記上流側管路および前記下流側管路の内面は、抗菌コーティング層を有している取付基部によって解決する。
【０００６】
また、流体を濾過するフィルタを具備するフィルタユニットと、前記フィルタユニットに前記流体を導入する上流側管路と、前記フィルタユニットから前記流体を排出する下流側管路と、を備える濾過装置であって、前記上流側管路および前記下流側管路の内面は、抗菌コーティング層を有している濾過装置によって解決する。
【考案の効果】
【０００７】
これにより、濾過装置の管路においても、細菌、カビ、微生物の増殖を抑えることができる。
【図面の簡単な説明】
【０００８】
【図１】本発明の濾過装置の例を示している。
【図２】図１の取付基部付近の断面を示している。
【考案を実施するための形態】
【０００９】
以下、図１および図２を参照して、本発明の濾過装置について説明する。図１は、本発明の実施の形態における濾過装置１を示している。濾過装置１は、取付基部２と、フィルタユニット５とを具備する。取付基部２は、上流側管路３と、下流側管路４とを具備する。上流側管路３は、濾過する流体の流体源につながっていて、濾過前の流体を受ける。下流側管路４は、濾過後の流体を排出する排出先につながっている。上流側管路３および下流側管路４は、取付基部２の外側のみならず、取付基部２内部にも穿設されている形態とすることができる。取付基部２には、フィルタユニット５を受容する載置台面２ａを具備している。取付基部２の載置台面２ａには、上流側管路３と接合する上流側接合口７と、下流側管路４と接合する下流側接合口８とが配置されている。フィルタユニット５が取付基部２に取り付けられて、濾過装置１を形成する際には、フィルタユニット５を載置台面２ａに載置し、代表的にはフィルタユニット５の接合面５ａが接する状態となる。
【００１０】
フィルタユニット５は、中空であって、代表的には円筒形状である。フィルタユニット５の中空部に、フィルタ６を有している。フィルタユニット５は、入口流路５ｂと出口流路５ｃとを有している。フィルタユニット５の内部には、入口流路５ｂから出口流路５ｃへと流体が流れる流路を形成されている。入口流路５ｂから出口流路５ｃへと至るこの流路の間に、フィルタ６が位置するように、フィルタ６が配置されている。これにより、図１の破線矢印で示すような流れのように、濾過すべき流体が入口流路５ｂからフィルタユニット５内に流れ込み、フィルタ６を経由した上で、出口流路５ｃへと流体が流れ出る。
【００１１】
フィルタユニット５の入口流路５ｂと出口流路５ｃとは、それぞれ、上流側管路３と下流側管路４とに流体的に接合可能となっている。たとえば、代表的には、入口流路５ｂと出口流路５ｃとは、フィルタユニット５から突出する形状となっている。一方、取付基部２の載置台面２ａの上流側接合口７と下流側接合口８とは、それぞれ、入口流路５ｂと出口流路５ｃとを受容可能な径を有するように穿設されている。フィルタユニット５を取付基部２の載置台面２ａに載置する際に、フィルタユニット５の入口流路５ｂと出口流路５ｃとが、取付基部２の載置台面２ａの上流側接合口７と下流側接合口８とに嵌入される。ただし、フィルタユニット５の入口流路５ｂと出口流路５ｃとは、必ずしもこの形態である必要はない。逆に、取付基部２の載置台面２ａの上流側接合口７と下流側接合口８とが突出する形状を有していて、フィルタユニット５の入口流路５ｂと出口流路５ｃとに嵌入される形態でもよい。
【００１２】
上流側接合口７および下流側接合口８は、上流側管路３および下流側管路４の端部に、上流側管路３および下流側管路４の径や形状と異なるように設定しても良いが、上流側管路３および下流側管路４の端部自体でもよい。フィルタユニット５の入口流路５ｂと出口流路５ｃとが、上流側管路３と下流側管路４とに接合可能である限り、さまざまな形態をとることができる。
【００１３】
入口流路５ｂおよび出口流路５ｃ、または上流側接合口７および下流側接合口８のいずれかには、シール部材が取り付けられている。フィルタユニット５が取付基部２に取り付けられると、フィルタユニット５の入口流路５ｂと出口流路５ｃとが、上流側管路３と下流側管路４とに接合し、濾過装置１では、濾過すべき流体が、上流側管路３から上流側接合口７を経由し、入口流路５ｂからフィルタユニット５内に流れ込み、フィルタ６で濾過されて、出口流路５ｃから下流側接合口８を経由して下流側流路４へと流れ出る流れが形成可能となるすなわち、図１および図２において矢印にて示されている流れが形成される。
【００１４】
上流側管路３は、その内側表面に、抗菌コーティング層３ａを有している。同様に、下流側管路４は、その内側表面に、抗菌コーティング層４ａを有している。抗菌コーティング層３ａは、たとえば、上流側管路３の上流側接合口７内に挿入されている入口流路５ｂの先端まで施されていて、一方、下流側管路４の下流側接合口８内に挿入されている出口流路５ｃの先端まで施されている。抗菌コーティング層は、抗菌性イオンを溶出させる合金メッキにより形成される層である。
【符号の説明】
【００１５】
１    濾過装置
２    取付基部
３    上流側管路
４    下流側管路
５    フィルタユニット
６    フィルタ
７    上流側接合口
８    下流側接合口
【図１】
0003196895.tif 000003
【図２】
0003196895.tif 000004